(57)【要約】      （修正有）【課題】片手で簡単に切り且つ次回使用時の把持用ペーパーも同時単一作業でワン、カット、ゲット出来る簡便なトイレットペーパーホルーダーを提供する。【解決手段】カバー回転軸９と壁面取付版２の間にペーパーの通過と装着に必要な空間を設けペーパーを通し従来はカバー７の下側にペーパーを通していたが、これはペーパーをカバー７の表面上部に流しペーパーガイド壁１２，１３とロールペーパー回転止ストッパー１５及ペーパー切断用歯型１４でペーパーを切り、切取用ペーパー１８を確保し同時単一作業で次回把持用引出しペーパー１７もカバー７の表面上部にワン、カット、ゲット出来る簡便なトイレットペーパーホルダー。【選択図】図１
2004275651.tif 000002
【特許請求の範囲】
【請求項１】
一般に市販されてるトイレットペーパーホルダーはカバーの下側にペーパーを通しているが本発明ではペーパーをカバー（７）の表面上部を通す構造である。円筒状に捲回されたロールペーパー（１６）は回転自在に保持するロールペーパー保持部（３、４）とホールド本体（１）により壁面取付版（２）にて壁面に取り付ける。ロールペーパー（１６）の上部でカバー（７）が自在に上下運動が出来る状態のトイレットペーパーホルダーにおいて、カバー回転軸（９）と壁面取付版（２）との空間にペーパーを通し、そのペーパーがカバー（７）の表面上部をスムースに流れるようにカバー（７）の左端及び右端にペーパーガイド壁（１２，１３）を設ける。カバー（７）の裏面にはロールペーパー回転止ストッパー（１５）が装着されていて、又カバー（７）の先端にペーパー切断用歯型（１４）がある。カバー回転軸（９）と壁面取付版（２）との空間にペーパーの通過空間を確保出来ないトイレットペーパーホルダーに於いてはロールペーパー保持部（３，４）を壁面取付版（２）と切り離し新たにペーパー保持部左右連結版（１９）で連結固定する。ホールド本体（１）のホールド本体壁面側端部（２０）と壁面取付版本体側端部（２１）の垂直軸に回転自在な本体・壁面取付版回転軸（２３）を設け回転用壁面取付版（２２）は壁面に固定する。ホールド本体（１）は手前方向に回転自在とする。本体を回転用壁面取付版（２２）に固定させる為に本体・壁面取付版固定用フック（２４）で本体・壁面取付版フック穴（２５）に差し込み固定安定さる。カバー（７）表面上部にムキ出しでペーパーを流すのが外観状、衛生上問題があるときはカバー（７）の上に二重に化粧二重カバー（８）を設ける、重なる二枚のカバーの左端片側を一体で固定成型し反対側は開放空間とする、この空間はペーパーの装着空間とする、次回引き出し時の把持用ペーパーを掴む為、カバー（７）より先端部分を短く作られている化粧二重カバー（８）を具備したトイレットペーパーホルダー。
【請求項２】
カバー回転軸（９）と壁面取付版（２）の空間にペーパーの通過と装着を容易にする空間を設け、カバー（７）の表面上部にペーパーを通しペーパーの把持及び切り取りを容易にし又次回把持用引き出し用ペーパー（１７）を、カバー（７）の表面上部に確保出来ることを特徴とする請求項１に記載のワン、カット、ゲットが可能なイレットペーパーホルダー。
【請求項３】
カバー（７）上部左端と右端にペーパーの流れをよくする為及び滑り外れを防止する為ペーパーガイド壁（１２，１３）を設けたことを特徴とする請求項１に記載のワン、カット、ゲット、する便利なトイレットペーパーホルダー。
【請求項４】
ロールペーパー（１６）の回転を止める為にカバー（７）の表面上部にペーパーが引かれカバー（７）に切断用の力が下方向に加わると同時に回転を止めるロールペーパー回転止ストッパー（１５）を設けたことを特徴とする請求項１に記載のワン、カット、ゲットが可能なイレットペーパーホルダー。
【請求項５】
カバー（７）の先端部で次回把持用引き出し用ペーパー（１７）が切断の為に引かれペーパーに下方向に引く力が加わるとペーパーが容易に切断出来るペーパー切断用歯型（１４）を設けたことを特徴とする請求項１に記載のワン、カット、ゲットが可能なイレットペーパーホルダー。
【請求項６】
ロールペーパー（１６）を支えるロールペーパー保持部（３、４）をペーパー保持部左右連結版（１９）で固定し回転用壁面取付版（２２）と切り離す。ホールド本体（１）と回転用壁面取付版（２２）の垂直接触面１軸に本体・壁面取付版回転軸（２３）を設けホールド本体（１）を手前方向に回転自在にさせペーパーの通過空間と装着空間を設け装着完了後はホールド本体（１）を回転用壁面取付版（２２）に密着させ固定安定する。ホールド本体（１）と回転用壁面取付版（２２）を片側１軸で前方向に回転式としペーパーの装着を容易にしカバー回転軸（９）と回転用壁面取付版（２２）の空間にペーパーを通すことを特徴とする請求項１に記載のワン、カット、ゲットが可能なイレットペーパーホルダー。
【請求項７】
外観上、衛生上の為カバー（７）の上にカバー（７）と同形でカバー（７）より先端の短い化粧二重カバー（８）をカバー（７）と平行に重ねこの二枚のカバーの間にペーパーの通過空間を確保する、二枚のカバーは重なる左端部で一体に固定成形させる。その反対側は開放空間としてペーパーの装着空間としたことを特徴とし又ロールペーパーの芯方向が垂直でトイレットペーパーホルダーが縦向きに設置されても使用出来る更に便利な化粧二重カバー（８）を装着したことを特徴とする請求項１に記載のワン、カット、ゲットが可能なイレットペーパーホルダー。
【発明の詳細な説明】
【０００１】
【発明の属する技術分野】
本発明はトイレットペーパーホルダーに関し、特にペーパーの引き出し切断を容易にし又次回把持用引き出しペーパーを同時単一作業で確保出来る便利なトイレットペーパーホルダーに関する。
【０００２】
【従来の技術】
ロール状に捲回されたトイレットペーパーは、壁等に固定され使用時は回転自在に保持し、ペーパーホルダーから適当量引き出し切断されて使用する。
【０００３】
従来のトイレットペーパーは、ペーパーをカバー先端で引き切るようになってるが、ペーパーの通過位置がカバーの裏面下側に位置しているので切るためにペーパーに力を加へると上部カバーもペーパーと共に上方に開いてしまい片手で切ることはは困難である。実際に切るには片手でカバーを押へて片手でペーパーを切るか又はペーパーを両手で押さえて引き千切る方法しかない。又次回使用時のペーパーを引き出す為のペーパーがカバーの下に隠れて掴めない。いずれにしても片手で切ることが不可能であり不便である。
【０００４】
【発明が解決しようとする課題】
片手で容易にトイレットペーパーを切り出し片手で切断が出来ると共に次回把持用引き出し用ペーパー（１７）が同時単一作業で確保出来て、なおロール状トイレットペーパー（１６）の装着が簡便容易に出来て外観上も体裁のよいトイレットペーパーホルダーを提供することである。
【０００５】
【問題を解決するための手段】
上述の本発明の目的を達成するには現在一般に市販され使用されているトイレットペパーホルダーの原理構造をそのそのまま利用し、本願の請求項（１）に係わる発明は円筒形の捲回されたロールペーパー（１６）を回転自在に保持し所望の長さのペーパーが切り取り自在な一般に市販されてるプラスチイック、金属、木製、のトイレットペーパーホルダーにおいて、それに本発明の基本であるカバー回転軸（９）と壁面取付版（２）の間にペーパーの通過空間を確保して且つペーパーガイド壁（１２，１３）、ペーパー切断用歯型（１４）、ロールペーパー回転止ストッパー（１５）付のカバー（７）を利用する。従来はカバー（７）の裏面下側にペーパーが通過させていたがカバー（７）の表面上部にペーパーを通過させるのである。ペーパーをカバー回転軸（９）と壁面取付版（２）との間を通すことは従来にない本発明の原点である。その為ペーパーが充分に通過出来る空間と装着出来る空間を確保する必要がある。この通過空間を通ったペーパーはカバー（７）の左端部及び右端部の表面上部の両端にそれぞれ設けられたペーパーガイド壁（１２，１３）に沿ってカバー（７）の表面上部で曲がらず外れずに流れペーパーは切るため手で下方向に力が加えられるとその力はカバー（７）の裏面に設けてあるロールペーパー回転止ストッパー（１５）にも力が加わりロールペーパー（１６）の回転を止めカバー（７）の先端に付いてるペーパー切断用歯型（１４）によってペーパーは切断され、切り取り用ペーパー（１８）が確保される、と同時にカバー（７）の表面にはペーパーを切り取るという同時単一作業によって次回把持用引き出し用ペーパー（１７）がカバー（７）の表面上部に確保される便利なトイレットペーパーである。
【０００６】
【発明実施の形態】
本願発明によるトイレットペーパーホルダーを壁面等垂直な面に取り付けロールペーパー（１６）を回転自在に装着しペーパー端部をカバー回転軸（９）と壁面取付版（２）との空間を通しカバー（７）表面上部を流し所望の長さまで引き出しそのまま片手でロールペーパー（１６）を下方向に引き下げればロールペーパー（１６）は回転を止めペーパーは切断され切り取り用ペーパー（１８）が確保される、且つ同時単一作業で次回把持用引き出し用ペーパー（１７）がカバー（７）の表面上部に確保される。
【０００７】
【実施例】
次に本発明の実施例を図面を用いて詳細に説明する、図１は本発明に係わるトイットペーパーホルダーの斜視図である。図１に於いて１はホールド本体を示す、上部方向から見ると断面がカタカナの“コ”の字状を呈しているこの両脇から延びるロールペーパー保持部（３、４）を有するホールド本体（１）には壁面に垂直に取り付け固定する為の壁面取付版（２）があり、ねじ穴が設けられていて壁面に固定されている、ロールペーパー保持部（３、４）にはロールペーパー（１６）を保持する回転軸をはめ込むロールペーパー回転軸保持穴（５、６）がそれぞれ設けられている、同じロールペーパー保持部（３、４）にはロールペーパー（１６）の表面を覆ってるカバー（７）のカバー回転軸保持穴（１０，１１）も設けられていてカバー（７）は上下運動が自在に出来る。カバー（７）にはその表面上部の両端である左端と右端にペーパーがカバー（７）の表面から外れないように流れる為のペーパーガイド壁（１２，１３）があり、又カバー（７）の裏面にはロールペーパー（１６）の回転を止めるためのロールペーパー回転止ストッパー（１５）もあり、又その先端にはペーパー切断用のペーパー切断用歯型（１４）も設けられている。
【０００８】
本発明の特徴はカバー回転軸（９）と壁面取付版（２）の間にペーパーの通過と装着する為の通過空間を設けたことである。一般市販されているトイレットペーパーホルダーでロールペーパー（１６）をロールペーパー保持部（３、４）に装着するまでは市販されてる器具と同じ原理である。ペーパーを装着する時カバー回転軸（９）と壁面取付版（２）との空間でペーパーの端部を指で掴み持ち上げてカバー（７）の表面上部に通し引き出す必要がある。ペーパーを引き出すときカバー回転軸（９）と壁面取付版（２）の間に手の指を差し込むだけの空間が必要になる。この点が一般市販器具と異なる構造である、その空間の広さであるがペーパーを掴む手の指が入れば充分である、約３０ｍｍ程度である、それにはカバー回転軸保持穴（１０，１１）とロールペーパー回転軸保持穴（５、６）のそれぞれの穴の位置を壁面取付版（２）より前方向３０ｍｍの位置に設置すればよい。市販されてるトイレットペーパーホルダーと比較しホールド本体（１）の大きさが前方向に３０ｍｍ程度長くなるだけである。
【０００９】
図２はペーパーガイド壁（１２，１３）がペーパーをスムースにカバー（７）の表面上部を流す為のガイド壁を装着した時の斜視図である、カバー（７）の表面上部の左端と右端に設ける。ペーパーがカバー（７）の表面上部を滑って流れるときカバー（７）の表面上部よりずれないようにカバーの曲面に沿うて高さ１０ｍｍ程度の壁を設けペーパーをスムースに流す役目を果たすものでカバー（７）と同一素材で作られる。
【００１０】
ロールペーパー回転止ストッパー（１５）はロールペーパー（１６）の回転を止める役目をする。カバー（７）裏面に位置するロールペーパー（１６）との接触面にカバー（７）の横幅と同じ幅で装着されていてペーパーを切るための力がカバー（７）に加えられた時ロールペーパー（１６）の回転を止める為の摩擦抵抗力をロールペーパー（１６）に加える役目をする。その形状は三角形、矩形、丸型等摩擦力発生すればよい。ロールペーパー（１６）が太い時、細い時使用状態が異なっていても、常にロールペーパー（１６）に接触するカバーの裏面位置に取り付ける必要がある。材質はプラスチック、金属、木製等カバーを作る素材と同一素材で出来る。
【００１１】
ペーパー切断用歯型（１４）はペーパーを切る為の歯形である。カバー（７）の先端に取り付けられ薄いペーパーを切るのであるから鋭利な歯型は必要ない、切る方法はペーパーを歯型に当てその下に垂れ下がる切取用ペーパー（１８）を手で下方向に引いて切るから歯型が手で触れても怪我のない安全なものに限る、これもカバーを作る同一素材で出来る。これは切取用ペーパー（１８）を下方向に力を加えることによってペーパーが切れる特徴を持つペーパー切断用歯型（１４）である。
【００１２】
図３はホールド本体（１）を回転式にした時の詳細説明である。
本体・壁面取付版回転軸（２３）を設けることはカバー回転軸（９）と壁面取付版（２）との間にペーパーの装着空間を充分に設ける為にホールド本体（１）を前方向に回転させる為である、左右のロールペーパー保持部（３、４）を、ペーパー保持部左右連結版（１９）で連結固定する。ホールド本体壁面側端部（２０）と壁面取付版本体側端部（２１）が接する垂直１軸に本体・壁面取付版回転軸（２３）を新たに設ける。その反対軸側は開閉自由とする、この回転軸はホールド本体（１）を壁面より手前方向に回転させ、ホールド本体（１）と回転用壁面取付版（２２）との間に出来た空間を利用しペーパーの装着を行い完了後はホールド本体（１）を回転用壁面取付版（２２）に固定安定させ使用する。固定安定させるには本体・壁面取付版固定用フック（２４）と本体・壁面取付版フック穴（２５）を本体・壁面取付版回転軸（２３）と反対側に設け、ホールド本体（１）を回転用壁面取付版（２２）方向に回転させ差込固定させる。ペーパーの取替え時のみ利用するので切り離し及び差し込は簡便でよいがしっかり固定する方法が必要である。
【００１３】
図４はカバー（７）を二重化粧カバーにした時の斜視図である。
カバー（７）の表面上部にペーパーを通すことは体裁が悪いとか又ホコリが溜まるとか衛生上の問題がある時は、カバー（７）の上にもう一枚のカバーをカバー（７）と同形である化粧二重カバー（８）を設ける、このカバーはカバー（７）の上部に設けられるカバーで、二枚のカバーの片側左端を一体で固定しその反対側は開放空間とする、このカバー（７）と化粧二重カバー（８）との空間はペーパーの通過空間として利用する。上カバーである化粧二重カバー（８）は次回把持用引き出し用ペーパー（１７）をカバー（７）の表面上にて掴む必要があるのでカバー（７）より先端が短いものに限る。カバー（７）と化粧二重カバー（８）は共に同一素材で形成される。
【００１４】
以上、発明を実施例により説明したが、本発明の主旨の範囲内て種種の変形や応用が可能でありこれらの変形や応用を本発明の範囲から排除するものではない。
【００１５】
【発明の効果】
以上詳細に説明したように本願発明によれば、トイレットペーパーホルダーを垂直な壁面に取り付けロールペーパー（１６）を回転自在に装着した状態で、カバー（７）の表面上部に前回使用時に残されている次回把持用引き出し用ペーパー（１７）の端部を所望の長さまで引き出しそのままペーパーを下方向に引き下げると、その引き下げる力がロールペーパー（１６）の回転を止め片手且つ容易にトイレットペーパーを切り出すことが出来ると同時に同時単一作業で次回引き出しに必要な次回把持用引出しペーパー（１７）がカバー（７）の表面上部に確保される。又ホールド本体（１）の回転方式及びカバーの二重方式である化粧カバーの設置も簡単に出来て便利であり衛生的である。又本願発明に係わるトイレットペーパーホルダーはペーパーの片手切断の構造を有していながらロールペーパーの装着は従来のトイレットペーパーホルダーの構造のままであり誰でも簡単に装着しワン、カット、ゲットが出来る便利なトイレットペーパーホルダーである。
【図面の簡単な説明】
【図１】図１は本発明に係わるトイレットペーパーホルダーの斜視図である。
【図２】図２はカバーの使用状態を示す斜視図である。
【図３】図３はホールド本体を前方向に回転さす壁面回転式取付版の装置状態を示す斜視図である。
【図４】図４はカバーを二重カバーにした状態示す斜視図である。
【符号の説明】
１・・・・・・・ホールド本体
２・・・・・・・壁面取付版［図１のみ］
３・・・・・・・ロールペーパー保持部
４・・・・・・・ロールペーパー保持部（反対側）
５・・・・・・・ロールペーパー回転軸保持穴
６・・・・・・・ロールペーパー回転軸保持穴（反対側）
７・・・・・・・カバー
８・・・・・・・化粧二重カバー［図４のみ］
９・・・・・・・カバー回転軸
１０・・・・・・・カバー回転軸保持穴
１１・・・・・・・カバー回転軸保持穴（反対側）
１２・・・・・・・ペーパーガイド壁
１３・・・・・・・ペーパーガイド壁（反対側）
１４・・・・・・・ペーパー切断用歯型
１５・・・・・・・ロールペーパー回転止ストッパー
１６・・・・・・・ロールペーパー
１７・・・・・・・次回把持用引出しペーパー
１８・・・・・・・切取用ペーパー
１９・・・・・・・ペーパー保持部左右連結版［図３のみ］
２０・・・・・・・ホールド本体壁面側端部［図３のみ］
２１・・・・・・・壁面取付版本体側端部［図３のみ］
２２・・・・・・・回転用壁面取付版［図３のみ］
２３・・・・・・・本体・壁面取付版回転軸［図３のみ］
２４・・・・・・・本体・壁面取付版固定用フック［図３のみ］
２５・・・・・・・本体・壁面取付版フック穴［図３のみ］
２６・・・・・・・壁面取付用穴
【図１】
2004275651.tif 000003
【図２】
2004275651.tif 000004
【図３】
2004275651.tif 000005
【図４】
2004275651.tif 000006